(57)【特許請求の範囲】
【請求項１】
表示チャンネルと前記表示チャンネルを表示する言葉とを対応付けたテーブルと、
選局ポジションと受信チャンネル及び表示チャンネルとを対応付けて記憶するチャンネル設定情報記憶部と、
前記選局ポジションに対応付けられた前記表示チャンネルを表示する言葉を登録する辞書と、
前記チャンネル設定情報記憶部が前記選局ポジションに新たな前記表示チャンネルを対応付けた時、自動的に、前記テーブルから当該選局ポジションに新たに対応付けられた前記表示チャンネルを表示する言葉を検索し、検索された言葉を前記辞書に更新登録する辞書生成部と、
音声を入力する音声入力部と、
前記辞書に基づいて入力した前記音声を認識し、認識結果を出力する音声認識部と、
前記認識結果を入力し、前記認識結果が前記表示チャンネルを表示する言葉である場合は当該表示チャンネルが対応付けられた選局ポジションと同一の選局ポジションに対応付けられた前記受信チャンネルの信号を受信して出力する選局制御部と、
を有することを特徴とする音声認識による選局装置。
【請求項２】
受信チャンネルと前記受信チャンネルを表示する言葉とを対応付けたテーブルと、
選局ポジションと前記受信チャンネルとを対応付けて記憶するチャンネル設定情報記憶部と、
前記選局ポジションに対応付けられた前記受信チャンネルを表示する言葉を登録する辞書と、
前記チャンネル設定情報記憶部が前記選局ポジションに新たな前記受信チャンネルを対応付けた時、自動的に、前記テーブルから当該選局ポジションに新たに対応付けられた前記受信チャンネルを表示する言葉を検索し、検索された言葉を前記辞書に更新登録する辞書生成部と、
音声を入力する音声入力部と、
前記辞書に基づいて入力した前記音声を認識し、認識結果を出力する音声認識部と、
前記認識結果を入力し、前記認識結果が前記受信チャンネルを表示する言葉である場合は当該受信チャンネルの信号を受信して出力する選局制御部と、
を有することを特徴とする音声認識による選局装置。
【請求項３】
放送局識別子と、前記放送局識別子に対応付けられた放送局が放送する信号の受信チャンネルと、前記放送局識別子を表示する言葉又は前記放送局識別子に対応付けられた放送局の名称、略称若しくは俗称を表示する言葉と、を対応付けたテーブルと、
選局ポジションと前記放送局識別子とを対応付けて記憶するチャンネル設定情報記憶部と、
前記選局ポジションに対応付けられた前記放送局識別子を表示する言葉又は前記選局ポジションに対応付けられた前記放送局識別子に対応付けられた放送局の名称、略称若しくは俗称を表示する言葉を登録する辞書と、
前記チャンネル設定情報記憶部が前記選局ポジションに新たな前記放送局識別子を対応付けた時、自動的に、前記テーブルから当該選局ポジションに新たに対応付けられた前記放送局識別子を表示する言葉、又は当該選局ポジションに新たに対応付けられた前記放送局識別子に対応付けられた放送局の名称、略称若しくは俗称を表示する言葉を検索し、検索された言葉を前記辞書に更新登録する辞書生成部と、
音声を入力する音声入力部と、
前記辞書に基づいて入力した前記音声を認識し、認識結果を出力する音声認識部と、
前記認識結果を入力し、前記認識結果が前記放送局識別子を表示する言葉又は前記放送局識別子に対応付けられた放送局の名称、略称若しくは俗称を表示する言葉である場合は当該放送局識別子が対応付けられた前記受信チャンネルの信号を受信して出力する選局制御部と、
を有することを特徴とする音声認識による選局装置。
【請求項４】
受信チャンネルと前記受信チャンネルの信号を放送する放送局の名称、略称若しくは俗称を表示する言葉とを対応付けたテーブルと、
選局ポジションと前記受信チャンネルとを対応付けて記憶するチャンネル設定情報記憶部と、
前記選局ポジションに対応付けられた前記受信チャンネルの信号を放送する放送局の名称、略称若しくは俗称を表示する言葉を登録する辞書と、
前記チャンネル設定情報記憶部が前記選局ポジションに新たな前記受信チャンネルを対応付けた時、自動的に、前記テーブルから当該選局ポジションに新たに対応付けられた前記受信チャンネルの信号を放送する放送局の名称、略称若しくは俗称を表示する言葉を検索し、検索された言葉を前記辞書に更新登録する辞書生成部と、
音声を入力する音声入力部と、
前記辞書に基づいて入力した前記音声を認識し、認識結果を出力する音声認識部と、
前記認識結果を入力し、前記認識結果が前記受信チャンネルの信号を放送する放送局の名称、略称若しくは俗称を表示する言葉である場合は当該受信チャンネルの信号を受信して出力する選局制御部と、
を有することを特徴とする音声認識による選局装置。
【請求項５】
前記テーブルは、前記受信チャンネルと、地理的位置情報と、前記受信チャンネルの信号を放送する放送局の名称、略称若しくは俗称を表示する言葉とを対応付けており、
選局装置には、前記地理的位置情報が対応付けられており、
前記チャンネル設定情報記憶部が前記選局ポジションに新たな前記受信チャンネルを対応付けた時、又は選局装置に対応付けられた前記地理的位置情報が更新された時、前記辞書生成部は、自動的に、前記テーブルから前記選局ポジション及び前記地理的位置情報に新たに対応付けられた前記受信チャンネルの信号を放送する放送局の名称、略称若しくは俗称を表示する言葉を検索し、検索された言葉を前記辞書に更新登録することを特徴とする請求項４に記載の音声認識による選局装置。
【請求項６】
デジタル放送を通じて当該デジタル放送の放送エリアに特有の前記テーブルをソフトウエアダウンロードすることを特徴とする請求項２から請求項４のいずれかの請求項に記載の音声認識による選局装置。
【請求項７】
表示チャンネルと前記表示チャンネルを表示する言葉とを対応付けたテーブルと、
選局ポジションと受信チャンネル及び表示チャンネルとを対応付けて記憶するチャンネル設定情報記憶部と、
前記選局ポジションに対応付けられた前記表示チャンネルを表示する言葉を登録する辞書と、
を有する音声認識による選局装置の制御方法であって、
前記チャンネル設定情報記憶部において、前記選局ポジションに新たな前記表示チャンネルを対応付けた時、自動的に、前記テーブルから当該選局ポジションに新たに対応付けられた前記表示チャンネルを表示する言葉を検索し、検索された言葉を前記辞書に更新登録する辞書生成ステップと、
音声を入力する音声入力ステップと、
前記辞書に基づいて入力した前記音声を認識し、認識結果を出力する音声認識ステップと、
前記認識結果が前記表示チャンネルを表示する言葉である場合は当該表示チャンネルが対応付けられた選局ポジションと同一の選局ポジションに対応付けられた前記受信チャンネルの信号を受信して出力する選局制御ステップと、
を有することを特徴とする音声認識による選局装置の制御方法。
【請求項８】
受信チャンネルと前記受信チャンネルを表示する言葉とを対応付けたテーブルと、
選局ポジションと前記受信チャンネルとを対応付けて記憶するチャンネル設定情報記憶部と、
前記選局ポジションに対応付けられた前記受信チャンネルを表示する言葉を登録する辞書と、
を有する音声認識による選局装置の制御方法であって、
前記チャンネル設定情報記憶部において、前記選局ポジションに新たな前記受信チャンネルを対応付けた時、自動的に、前記テーブルから当該選局ポジションに新たに対応付けられた前記受信チャンネルを表示する言葉を検索し、検索された言葉を前記辞書に更新登録する辞書生成ステップと、
音声を入力する音声入力ステップと、
前記辞書に基づいて入力した前記音声を認識し、認識結果を出力する音声認識ステップと、
前記認識結果が前記受信チャンネルを表示する言葉である場合は当該受信チャンネルの信号を受信して出力する選局制御ステップと、
を有することを特徴とする音声認識による選局装置の制御方法。
【請求項９】
放送局識別子と、前記放送局識別子に対応付けられた放送局が放送する信号の受信チャンネルと、前記放送局識別子を表示する言葉又は前記放送局識別子に対応付けられた放送局の名称、略称若しくは俗称を表示する言葉と、を対応付けたテーブルと、
選局ポジションと前記放送局識別子とを対応付けて記憶するチャンネル設定情報記憶部と、
前記選局ポジションに対応付けられた前記放送局識別子を表示する言葉又は前記選局ポジションに対応付けられた前記放送局識別子に対応付けられた放送局の名称、略称若しくは俗称を表示する言葉を登録する辞書と、
を有する音声認識による選局装置の制御方法であって、
前記チャンネル設定情報記憶部において、前記選局ポジションに新たな前記放送局識別子を対応付けた時、自動的に、前記テーブルから当該選局ポジションに新たに対応付けられた前記放送局識別子を表示する言葉、又は当該選局ポジションに新たに対応付けられた前記放送局識別子に対応付けられた放送局の名称、略称若しくは俗称を表示する言葉を検索し、検索された言葉を前記辞書に更新登録する辞書生成ステップと、
音声を入力する音声入力ステップと、
前記辞書に基づいて入力した前記音声を認識し、認識結果を出力する音声認識ステップと、
前記認識結果が前記放送局識別子を表示する言葉又は前記放送局識別子に対応付けられた放送局の名称、略称若しくは俗称を表示する言葉である場合は当該放送局識別子が対応付けられた前記受信チャンネルの信号を受信して出力する選局制御ステップと、
を有することを特徴とする音声認識による選局装置の制御方法。
【請求項１０】
受信チャンネルと前記受信チャンネルの信号を放送する放送局の名称、略称若しくは俗称を表示する言葉とを対応付けたテーブルと、
選局ポジションと前記受信チャンネルとを対応付けて記憶するチャンネル設定情報記憶部と、
前記選局ポジションに対応付けられた前記受信チャンネルの信号を放送する放送局の名称、略称若しくは俗称を表示する言葉を登録する辞書と、
を有する音声認識による選局装置の制御方法であって、
前記チャンネル設定情報記憶部において、前記選局ポジションに新たな前記受信チャンネルを対応付けた時、自動的に、前記テーブルから当該選局ポジションに新たに対応付けられた前記受信チャンネルの信号を放送する放送局の名称、略称若しくは俗称を表示する言葉を検索し、検索された言葉を前記辞書に更新登録する辞書生成ステップと、
音声を入力する音声入力ステップと、
前記辞書に基づいて入力した前記音声を認識し、認識結果を出力する音声認識ステップと、
前記認識結果が前記受信チャンネルの信号を放送する放送局の名称、略称若しくは俗称を表示する言葉である場合は当該受信チャンネルの信号を受信して出力する選局制御ステップと、
を有することを特徴とする音声認識による選局装置の制御方法。
【請求項１１】
前記テーブルは、前記受信チャンネルと、地理的位置情報と、前記受信チャンネルの信号を放送する放送局の名称、略称若しくは俗称を表示する言葉とを対応付けており、
選局装置には、前記地理的位置情報が対応付けられており、
前記チャンネル設定情報記憶部において、前記選局ポジションに新たな前記受信チャンネルを対応付けた時、又は選局装置に対応付けられた前記地理的位置情報が更新された時、前記辞書生成ステップにおいて、自動的に、前記テーブルから前記選局ポジション及び前記地理的位置情報に新たに対応付けられた前記受信チャンネルの信号を放送する放送局の名称、略称若しくは俗称を表示する言葉を検索し、検索された言葉を前記辞書に更新登録することを特徴とする請求項１０に記載の音声認識による選局装置の制御方法。
【請求項１２】
デジタル放送を通じて当該デジタル放送の放送エリアに特有の前記テーブルをソフトウエアダウンロードすることを特徴とする請求項８から請求項１０のいずれかの請求項に記載の音声認識による選局装置の制御方法。
【発明の詳細な説明】
【０００１】
【発明の属する技術分野】
本発明は、入力された音声を認識し選局を行う、音声認識による選局装置及びその制御方法に関するものである。
【０００２】
【従来の技術】
近年、音声認識を利用した種々の装置が開発されている。一般に音声認識装置は、音声を認識するための辞書を有し、入力された音声と辞書に登録された言葉（例えば単語）との類似度を計算する。一定以上の類似度で最も高い類似度を有する言葉を抽出できたならば、音声認識装置は、入力された音声が、その抽出された言葉であると認識する。
【０００３】
そのような装置の１つとして、音声認識を利用した選局装置がある。
従来例１の音声認識による選局装置を説明する。操作者は、最初にマイクから音声を従来例１の選局装置に入力し、その音声に対応付けるべき言葉を例えばキーボードで入力する。従来例１の選局装置は、声と言葉とを対応付けた辞書を作成する。辞書を作成した後は、操作者が音声を発すると、従来例１の選局装置は辞書からその音声に類似する言葉を選択して、その音声がその言葉であると認識する。
【０００４】
特開平１１−２３９０６７号公報に従来例２の音声認識による選局装置が開示されている。従来例２の音声認識による選局装置は、全国の放送局名の辞書を有する。操作者が放送局名に共通の語句（例えば「ＮＨＫ」）を発声すると、辞書に基づいて複数の放送局（例えば「ＮＨＫアキタ」、「ＮＨＫセンダイ」、「ＮＨＫヤマガタ」等）を認識し、認識した放送局の放送信号の中から、現在一定以上のレベルで受信している信号を選び出す。例えば１５０３ｋＨｚの信号を一定以上のレベルで受信していれば「ＮＨＫアキタ」を選び出す。
【０００５】
【特許文献１】
特開平１１−２３９０６７号公報
【０００６】
【発明が解決しようとする課題】
音声認識装置を有するテレビの選局装置のような一般家庭で使用する装置においては、操作者は、自分で辞書を作成するという面倒な作業を非常に嫌う。操作者が自分で辞書を作る従来例１のような選局装置でなく、あらかじめ音声認識用の辞書を設けた選局装置が市場から強く求められていた。
従来例２の選局装置は、あらかじめ日本の全ての放送局名の辞書（受信不可能な放送局名などの単語も認識対象として含む大きな辞書）を有する。一般に音声認識装置は、入力された音声と辞書に登録された各言葉との類似度を計算し、所定のレベル以上の類似度を有し最も高い類似度を有する言葉を抽出し、入力音声を、その抽出された言葉であると認識する。従って、内蔵する辞書が大きくなると、音声認識装置が実行する、入力された音声と辞書に登録された各言葉との類似度の計算量も大きくなる。そのため類似度の計算用のマイクロコンピュータの処理時間が長くなり、音声認識が遅くなるという問題があった。又、類似度の計算用に処理速度の速い高価なマイクロコンピュータを使用しなければならないという問題があった。
【０００７】
本発明は、面倒な単語登録が不要であって、居住地域に合わせた小型で必要十分な辞書を自動生成する、音声認識速度が速く安価な音声認識による選局装置及びその制御方法を提供することを目的とする。
【０００８】
従来の音声認識による選局装置は、全ての受信チャンネルを表示する言葉を含むテーブル、日本全国の全ての放送局の放送局識別子を表示する言葉を含むテーブル、及び／又は日本全国の全ての放送局の名称、略称若しくは俗称を表示する言葉を含むテーブルを有する必要があった。例えば受信可能な放送局以外の放送局の名称等を表示する言葉は選局装置にとって不要である。従来の音声認識による選局装置は、多くの無駄な部分を含むテーブルを有していた。
例えば放送局の略称が複数の放送局を表す場合（例えば「えぬえっちけい」という言葉は、東京のＮＨＫ本局、ＮＨＫ大阪、ＮＨＫ名古屋等を表す。）、その略称から受信チャンネルを特定できない。そのために、従来の音声認識による選局装置においては、複数の放送局を表す略称等をテーブルに登録できなかった。しかし、操作者は放送局を略称で呼ぶ場合が多い。大阪市に住む視聴者が「ＮＨＫ」の番組を見ることは、ＮＨＫ大阪が放送する番組（受信チャンネルは２チャンネル）を見ることを意味し、東京のＮＨＫ本局の番組（受信チャンネルは１チャンネル）を見ることを意味しない。
【０００９】
本発明は、ユーザ（視聴者、操作者）の居住地域に適合したコンパクトなテーブルを自動的に生成する音声認識による選局装置及びその制御方法を提供することを目的とする。
本発明は、複数の放送局を表す略称等を、ユーザが住む地域を放送エリアとするそのうちの１つの放送局の受信チャンネルに対応付けたテーブルを自動的に生成する音声認識による選局装置及びその制御方法を提供することを目的とする。
【００１０】
【課題を解決するための手段】
本発明の１つの観点による音声認識による選局装置は、表示チャンネルと前記表示チャンネルを表示する言葉とを対応付けたテーブルと、選局ポジションと受信チャンネル及び表示チャンネルとを対応付けて記憶するチャンネル設定情報記憶部と、前記選局ポジションに対応付けられた前記表示チャンネルを表示する言葉を登録する辞書と、前記チャンネル設定情報記憶部が前記選局ポジションに新たな前記表示チャンネルを対応付けた時、自動的に、前記テーブルから当該選局ポジションに新たに対応付けられた前記表示チャンネルを表示する言葉を検索し、検索された言葉を前記辞書に更新登録する辞書生成部と、音声を入力する音声入力部と、前記辞書に基づいて入力した前記音声を認識し、認識結果を出力する音声認識部と、前記認識結果を入力し、前記認識結果が前記表示チャンネルを表示する言葉である場合は当該表示チャンネルが対応付けられた選局ポジションと同一の選局ポジションに対応付けられた前記受信チャンネルの信号を受信して出力する選局制御部と、を有する。
【００１１】
本発明の他の観点による音声認識による選局装置の制御方法は、表示チャンネルと前記表示チャンネルを表示する言葉とを対応付けたテーブルと、選局ポジションと受信チャンネル及び表示チャンネルとを対応付けて記憶するチャンネル設定情報記憶部と、前記選局ポジションに対応付けられた前記表示チャンネルを表示する言葉を登録する辞書と、を有する音声認識による選局装置の制御方法であって、前記チャンネル設定情報記憶部において、前記選局ポジションに新たな前記表示チャンネルを対応付けた時、自動的に、前記テーブルから当該選局ポジションに新たに対応付けられた前記表示チャンネルを表示する言葉を検索し、検索された言葉を前記辞書に更新登録する辞書生成ステップと、音声を入力する音声入力ステップと、前記辞書に基づいて入力した前記音声を認識し、認識結果を出力する音声認識ステップと、前記認識結果が前記表示チャンネルを表示する言葉である場合は当該表示チャンネルが対応付けられた選局ポジションと同一の選局ポジションに対応付けられた前記受信チャンネルの信号を受信して出力する選局制御ステップと、を有する。
【００１２】
本発明の別の観点による音声認識による選局装置は、受信チャンネルと前記受信チャンネルを表示する言葉とを対応付けたテーブルと、選局ポジションと前記受信チャンネルとを対応付けて記憶するチャンネル設定情報記憶部と、前記選局ポジションに対応付けられた前記受信チャンネルを表示する言葉を登録する辞書と、前記チャンネル設定情報記憶部が前記選局ポジションに新たな前記受信チャンネルを対応付けた時、自動的に、前記テーブルから当該選局ポジションに新たに対応付けられた前記受信チャンネルを表示する言葉を検索し、検索された言葉を前記辞書に更新登録する辞書生成部と、音声を入力する音声入力部と、前記辞書に基づいて入力した前記音声を認識し、認識結果を出力する音声認識部と、前記認識結果を入力し、前記認識結果が前記受信チャンネルを表示する言葉である場合は当該受信チャンネルの信号を受信して出力する選局制御部と、を有する。
【００１３】
本発明の更に別の観点による音声認識による選局装置の制御方法は、受信チャンネルと前記受信チャンネルを表示する言葉とを対応付けたテーブルと、選局ポジションと前記受信チャンネルとを対応付けて記憶するチャンネル設定情報記憶部と、前記選局ポジションに対応付けられた前記受信チャンネルを表示する言葉を登録する辞書と、を有する音声認識による選局装置の制御方法であって、前記チャンネル設定情報記憶部において、前記選局ポジションに新たな前記受信チャンネルを対応付けた時、自動的に、前記テーブルから当該選局ポジションに新たに対応付けられた前記受信チャンネルを表示する言葉を検索し、検索された言葉を前記辞書に更新登録する辞書生成ステップと、音声を入力する音声入力ステップと、前記辞書に基づいて入力した前記音声を認識し、認識結果を出力する音声認識ステップと、前記認識結果が前記受信チャンネルを表示する言葉である場合は当該受信チャンネルの信号を受信して出力する選局制御ステップと、を有する。
【００１４】
本発明の更に別の観点による音声認識による選局装置は、放送局識別子と、前記放送局識別子に対応付けられた放送局が放送する信号の受信チャンネルと、前記放送局識別子を表示する言葉又は前記放送局識別子に対応付けられた放送局の名称、略称若しくは俗称を表示する言葉と、を対応付けたテーブルと、選局ポジションと前記放送局識別子とを対応付けて記憶するチャンネル設定情報記憶部と、前記選局ポジションに対応付けられた前記放送局識別子を表示する言葉又は前記選局ポジションに対応付けられた前記放送局識別子に対応付けられた放送局の名称、略称若しくは俗称を表示する言葉を登録する辞書と、前記チャンネル設定情報記憶部が前記選局ポジションに新たな前記放送局識別子を対応付けた時、自動的に、前記テーブルから当該選局ポジションに新たに対応付けられた前記放送局識別子を表示する言葉、又は当該選局ポジションに新たに対応付けられた前記放送局識別子に対応付けられた放送局の名称、略称若しくは俗称を表示する言葉を検索し、検索された言葉を前記辞書に更新登録する辞書生成部と、音声を入力する音声入力部と、前記辞書に基づいて入力した前記音声を認識し、認識結果を出力する音声認識部と、前記認識結果を入力し、前記認識結果が前記放送局識別子を表示する言葉又は前記放送局識別子に対応付けられた放送局の名称、略称若しくは俗称を表示する言葉である場合は当該放送局識別子が対応付けられた前記受信チャンネルの信号を受信して出力する選局制御部と、を有する。
【００１５】
本発明の更に別の観点による音声認識による選局装置の制御方法は、放送局識別子と、前記放送局識別子に対応付けられた放送局が放送する信号の受信チャンネルと、前記放送局識別子を表示する言葉又は前記放送局識別子に対応付けられた放送局の名称、略称若しくは俗称を表示する言葉と、を対応付けたテーブルと、選局ポジションと前記放送局識別子とを対応付けて記憶するチャンネル設定情報記憶部と、前記選局ポジションに対応付けられた前記放送局識別子を表示する言葉又は前記選局ポジションに対応付けられた前記放送局識別子に対応付けられた放送局の名称、略称若しくは俗称を表示する言葉を登録する辞書と、を有する音声認識による選局装置の制御方法であって、前記チャンネル設定情報記憶部において、前記選局ポジションに新たな前記放送局識別子を対応付けた時、自動的に、前記テーブルから当該選局ポジションに新たに対応付けられた前記放送局識別子を表示する言葉、又は当該選局ポジションに新たに対応付けられた前記放送局識別子に対応付けられた放送局の名称、略称若しくは俗称を表示する言葉を検索し、検索された言葉を前記辞書に更新登録する辞書生成ステップと、音声を入力する音声入力ステップと、前記辞書に基づいて入力した前記音声を認識し、認識結果を出力する音声認識ステップと、前記認識結果が前記放送局識別子を表示する言葉又は前記放送局識別子に対応付けられた放送局の名称、略称若しくは俗称を表示する言葉である場合は当該放送局識別子が対応付けられた前記受信チャンネルの信号を受信して出力する選局制御ステップと、を有する。
【００１６】
所定数の選局ポジションを有する選局装置（例えばテレビの選局装置）においては、操作者は選局ポジションに対応付けられた受信チャンネル以外の受信チャンネルを選択することができず、又は選択することができたとしても操作者がそのような選択をすることは極めて稀である。音声認識による選局装置は、選局のための音声のみを認識すれば良いという特質を有する。選局のための言葉以外の言葉を辞書に登録すると、却って音声認識装置の計算量が多くなり、処理が遅くなるという弊害が生じる。本発明の選択装置は、チャンネル設定情報記憶部に記憶された受信チャンネルを表示する言葉等を登録する小型の辞書を自動的に生成する。これにより、操作者が発する受信チャンネルを決定する音声を認識するのに必要な言葉を無駄なく且つ漏れなく登録する辞書を生成する。小型で無駄の無い辞書を用いて音声を認識する故に、安価なマイクロコンピュータにより、速い応答速度で音声認識できる。本発明は、音声認識速度が速く安価な音声認識による選局装置及びその制御方法を実現できる。
【００１７】
辞書生成部は、検索された言葉を辞書に更新登録する時、その選局ポジションにそれまで対応付けられていた受信チャンネルを表示する言葉等を辞書から削除する方が好ましい。しかし、その言葉を削除せず、辞書に残しておいても良い。
辞書は、単語、句、節及び文章等の任意の単位の言葉を登録する。
辞書は、言葉のみを登録しても良く、選局ポジションと言葉とを対応づけても良く、受信チャンネルと言葉とを対応づけても良く、放送局識別子と言葉とを対応づけても良い。
テーブルは、例えば表示チャンネルと表示チャンネルを表示する言葉のみで構成された専用の表示チャンネルテーブルであっても良く、それ以外の言葉を含むテーブル（例えば表示チャンネル、受信チャンネル、放送局の名称等と、それらを表示する言葉とを含むテーブル）であっても良い。
【００１８】
本発明の更に別の観点による音声認識による選局装置は、受信チャンネルと前記受信チャンネルの信号を放送する放送局の名称、略称若しくは俗称を表示する言葉とを対応付けたテーブルと、選局ポジションと前記受信チャンネルとを対応付けて記憶するチャンネル設定情報記憶部と、前記選局ポジションに対応付けられた前記受信チャンネルの信号を放送する放送局の名称、略称若しくは俗称を表示する言葉を登録する辞書と、前記チャンネル設定情報記憶部が前記選局ポジションに新たな前記受信チャンネルを対応付けた時、自動的に、前記テーブルから当該選局ポジションに新たに対応付けられた前記受信チャンネルの信号を放送する放送局の名称、略称若しくは俗称を表示する言葉を検索し、検索された言葉を前記辞書に更新登録する辞書生成部と、音声を入力する音声入力部と、前記辞書に基づいて入力した前記音声を認識し、認識結果を出力する音声認識部と、前記認識結果を入力し、前記認識結果が前記受信チャンネルの信号を放送する放送局の名称、略称若しくは俗称を表示する言葉である場合は当該受信チャンネルの信号を受信して出力する選局制御部と、を有する。
【００１９】
本発明の更に別の観点による音声認識による選局装置の制御方法は、受信チャンネルと前記受信チャンネルの信号を放送する放送局の名称、略称若しくは俗称を表示する言葉とを対応付けたテーブルと、選局ポジションと前記受信チャンネルとを対応付けて記憶するチャンネル設定情報記憶部と、前記選局ポジションに対応付けられた前記受信チャンネルの信号を放送する放送局の名称、略称若しくは俗称を表示する言葉を登録する辞書と、を有する音声認識による選局装置の制御方法であって、前記チャンネル設定情報記憶部において、前記選局ポジションに新たな前記受信チャンネルを対応付けた時、自動的に、前記テーブルから当該選局ポジションに新たに対応付けられた前記受信チャンネルの信号を放送する放送局の名称、略称若しくは俗称を表示する言葉を検索し、検索された言葉を前記辞書に更新登録する辞書生成ステップと、音声を入力する音声入力ステップと、前記辞書に基づいて入力した前記音声を認識し、認識結果を出力する音声認識ステップと、前記認識結果が前記受信チャンネルの信号を放送する放送局の名称、略称若しくは俗称を表示する言葉である場合は当該受信チャンネルの信号を受信して出力する選局制御ステップと、を有する。
【００２０】
選局ポジションを有する選局装置（例えばテレビの選局装置）においては、操作者は選局ポジションに対応付けられた放送局識別子以外の放送局識別子に対応付けられた放送局の放送信号を選択することができず、又は選択することができたとしても操作者がそのような選択をすることは極めて稀である。
本発明は、操作者が発する放送局識別子を決定する音声を認識するのに必要な言葉を無駄なく且つ漏れなく登録する辞書を生成する。小型で無駄の無い辞書を用いて音声を認識する故に、安価なマイクロコンピュータにより、速い応答速度で音声認識できる。本発明は、音声認識速度が速く安価な音声認識による選局装置及びその制御方法を実現できる。
辞書生成部は、検索された言葉を辞書に更新登録する時、その選局ポジションにそれまで対応付けられていた放送局識別子を表示する言葉等を辞書から削除する方が好ましい。しかし、その言葉を削除せず、辞書に残しておいても良い。
「放送局識別子」は放送局毎に割り当てられた任意の表示による固有情報である。放送局識別子は、例えば複数桁の英数字で構成された放送局識別番号である。
【００２１】
本発明の更に別の観点による上記の音声認識による選局装置は、前記テーブルは、前記受信チャンネルと、地理的位置情報と、前記受信チャンネルの信号を放送する放送局の名称、略称若しくは俗称を表示する言葉とを対応付けており、選局装置には、前記地理的位置情報が対応付けられており、前記チャンネル設定情報記憶部が前記選局ポジションに新たな前記受信チャンネルを対応付けた時、又は選局装置に対応付けられた前記地理的位置情報が更新された時、前記辞書生成部は、自動的に、前記テーブルから前記選局ポジション及び前記地理的位置情報に新たに対応付けられた前記受信チャンネルの信号を放送する放送局の名称、略称若しくは俗称を表示する言葉を検索し、検索された言葉を前記辞書に更新登録する。
【００２２】
本発明の更に別の観点による上記の音声認識による選局装置の制御方法は、前記テーブルは、前記受信チャンネルと、地理的位置情報と、前記受信チャンネルの信号を放送する放送局の名称、略称若しくは俗称を表示する言葉とを対応付けており、選局装置には、前記地理的位置情報が対応付けられており、前記チャンネル設定情報記憶部において、前記選局ポジションに新たな前記受信チャンネルを対応付けた時、又は選局装置に対応付けられた前記地理的位置情報が更新された時、前記辞書生成ステップにおいて、自動的に、前記テーブルから前記選局ポジション及び前記地理的位置情報に新たに対応付けられた前記受信チャンネルの信号を放送する放送局の名称、略称若しくは俗称を表示する言葉を検索し、検索された言葉を前記辞書に更新登録する。
【００２３】
例えばテレビの選局装置においては、放送信号の受信チャンネルとその信号を放送する放送局との対応関係は、選局装置が置かれた地理的位置により異なる。例えばＮＨＫの放送信号の受信チャンネルは、大阪市では第２チャンネルであり、名古屋市では第３チャンネルである。
本発明は、選局装置にその選局装置が配置された地理的位置情報（例えば大阪市）を対応付け、その地理的位置情報に応じた放送局の名称等を辞書に登録する。これにより、操作者がどこに住んでいても、適切な放送局の名称等を辞書に自動的に登録することができる。選局装置に地理的位置情報を対応付ける方法は任意である。例えばＧＰＳ（Global Positioning System）等を用いて自動的に選局装置に地理的位置情報を対応付けても良い。又は、操作者が地理的位置情報を選局装置に入力して登録しても良い。一度登録すれば、選局装置の地理的位置を移動させない限り、その後の登録は不要である。
【００２４】
本発明の更に別の観点による上記の音声認識による選局装置は、デジタル放送を通じて当該デジタル放送の放送エリアに特有の前記テーブルをソフトウエアダウンロードする。
【００２５】
本発明の更に別の観点による上記の音声認識による選局装置の制御方法は、デジタル放送を通じて当該デジタル放送の放送エリアに特有の前記テーブルをソフトウエアダウンロードする。
【００２６】
選局装置（典型的には、テレビに内蔵された選局装置）がデジタル放送を通じてテーブルをダウンロードすることにより、その選局装置が受信可能な放送チャンネルに応じて、自動的に適切な放送局の名称等を辞書に登録することができる。
【００２７】
【発明の実施の形態】
以下本発明の実施をするための最良の形態を具体的に示した実施例について、図面とともに記載する。
【００２８】
《実施例１》
図１〜図９を用いて、本発明の実施例１の音声認識による選局装置を説明する。図１は、実施例１の音声認識による選局装置の構成を示すブロック図である。実施例１の選局装置は、テレビに含まれ、テレビの受信チャンネルを選択する。
図１に示す音声認識による選局装置は、音声入力部１０、音声認識部２０、選局コマンド出力部２１、単語辞書記憶部３０（辞書記憶部）、単語辞書生成部３１（辞書生成部）、表示チャンネルテーブル３２、受信チャンネルテーブル３３、放送局識別子テーブル３４、選局制御部５０、チャンネル設定情報記憶部５１、表示部６０を備える。実施例において、表示チャンネルテーブル３２、受信チャンネルテーブル３３及び放送局識別子テーブル３４は個別に設けられているが、これらのテーブルを１つにまとめたテーブルであっても良い。
【００２９】
実施例の選局装置は、所定数の選局ポジション（実施例においては１２個）を有する。チャンネル設定情報記憶部５１は、各選局ポジションと、表示チャンネル、受信チャンネル及び放送局識別子とを対応させて記憶する。選局制御部５０は、操作者が表示部６０（ディスプレイ）に表示された案内画面を見ながら入力する指示に基づいて、各選局ポジションに任意の表示チャンネル、受信チャンネル及び放送局識別子を対応付けて、チャンネル設定情報記憶部５１に格納する。チャンネル設定情報記憶部５１は、いずれかの選局ポジションに対応付けられた、表示チャンネル、受信チャンネル又は送局識別子が変更されると、選局ポジションと、表示チャンネル、受信チャンネル及び放送局識別子との新たな対応関係の情報（以下、「チャンネル設定情報」と呼ぶ。）を単語辞書生成部３１に出力する。実施例においてチャンネル設定情報は、変更された選局ポジションと、表示チャンネル、受信チャンネル及び放送局識別子との新たな対応関係の情報である。
【００３０】
上記実施例に代えて、チャンネル設定情報は、変更された選局ポジションと変更された項目（例えば受信チャンネル）のみとの対応関係の情報であっても良く、変更された項目のみの情報であっても良い。又は、各選局ポジションと表示チャンネル、受信チャンネル及び放送局識別子との対応関係の全ての情報であっても良い。
【００３１】
表示チャンネルテーブル３２は、各選局ポジションと、その選局ポジションを表す言葉（「表示チャンネル」と呼ぶ。例えば第３番目の選局ポジションが選択された時、典型的にはディスプレイ画面上に、選局ポジションの番号である「３ＣＨ」を表示し、又は第３番目の選局ポジションに対応づけられた受信チャンネルのチャンネル数（例えば「１９ＣＨ」）を表示する。「３ＣＨ」又は「１９ＣＨ」が表示チャンネルである。）とを対応付けたテーブル（図５に例示）である。受信チャンネルテーブル３３は、チューナの各受信チャンネルと、そのチャンネル番号を表す言葉とを対応付けたテーブル（図６に例示）である。放送局識別子テーブル３４は、各放送局の放送局識別子と、放送局識別子に対応付けられた放送局が放送する信号の受信チャンネルと、その放送局の名称、略称及び俗称を表す言葉（放送局識別子を表示する言葉であっても良い。）とを対応付けたテーブル（図７に例示）である。放送局識別子テーブル３４において、更に、放送局識別子と、放送局識別子を表示する言葉とを対応付けても良い。
実施例において、各テーブル及び辞書に登録されている言葉は単語である。しかしこれに限るものではなく、各テーブル及び辞書に単語、句、節、文章等を登録しても良い。
【００３２】
単語辞書生成部３１は、チャンネル設定情報記憶部５１から出力されたチャンネル設定情報を用いて、自動的に、選局ポジションに新たに対応付けられた選局ポジションを表示する言葉（表示チャンネル）を表示チャンネルテーブル３２から検索し、検索された言葉を選局ポジションに対応付けて単語辞書記憶部３０に更新登録する。
単語辞書生成部３１は、チャンネル設定情報記憶部５１から出力されたチャンネル設定情報を用いて、自動的に、選局ポジションに新たに対応付けられた受信チャンネルを表示する言葉（実施例においては受信チャンネル番号）を受信チャンネルテーブル３３から検索し、検索された言葉を選局ポジションに対応付けて単語辞書記憶部３０に更新登録する。
単語辞書生成部３１は、チャンネル設定情報記憶部５１から出力されたチャンネル設定情報を用いて、自動的に、選局ポジションに新たに対応付けられた放送局識別子に対応付けられた放送局の名称、略称若しくは俗称を表示する言葉（選局ポジションに新たに対応付けられた放送局識別子を表示する言葉であっても良い。）を放送局識別子テーブル３４から検索し、検索された言葉を選局ポジションに対応付けて単語辞書記憶部３０に更新登録する。以下、「放送局識別子に対応付けられた放送局の名称、略称若しくは俗称を表示する言葉及び／又は選局ポジションに新たに対応付けられた放送局識別子を表示する言葉」を、「放送局識別子に対応付けられた放送局の名称等」と略して呼ぶ。
チャンネル設定情報記憶部５１は、選局ポジションに新たに対応付けられた放送局識別子に対応付けられた受信チャンネルを放送局識別子テーブル３４から読み出し、記憶する。
【００３３】
実施例において単語辞書記憶部３０は、選局ポジションにそれぞれ対応付けられた、選局ポジションを表示する言葉、受信チャンネルを表す言葉、並びに放送局識別子に対応付けられた放送局の名称等を登録している。辞書において、これらの言葉を選局ポジションと対応付けなくても良く、受信チャンネル等と対応付けても良い。
【００３４】
音声入力部１０は、例えばマイクロフォンであって、操作者が発声した音声を音声信号に変換して音声認識部２０へ出力する。
音声認識部２０は、音声入力部１０から出力された音声信号を用いて単語辞書記憶部３０に登録されている単語との類似度を示す尤度を計算し、認識結果を選局コマンド出力部２１へ出力する。認識結果は、典型的には、選局ポジションを表示する言葉、受信チャンネルを表示する言葉、並びに放送局識別子に対応付けられた放送局の名称等のいずれか１つである。
選局装置は、選局ポジションに対応付けられていない受信チャンネル等を表示する言葉を認識する必要がない。単語辞書記憶部３０は、選局ポジションに対応付けられた受信チャンネル等を表示する言葉のみを登録している。
【００３５】
選局コマンド出力部２１は、音声認識部２０から出力された認識結果に応じて選局制御部５０へ選局ポジション、受信チャンネル及び放送局識別子の少なくともいずれか１つを含む選局コマンドを出力する。実施例において選局コマンド出力部２１は、認識結果に対応づけられた選局ポジションを指定する選局コマンドを出力する。
【００３６】
これに代えて選局コマンド出力部２１は、単語辞書記憶部３０、表示チャンネルテーブル３２、受信チャンネルテーブル３３及び／又は放送局識別子テーブル３４を検索して、認識結果に対応する受信チャンネル又は放送局識別子を検索し、受信チャンネル又は放送局識別子を指定する選局コマンドを出力しても良い。
【００３７】
選局制御部５０は、選局コマンドと、チャンネル設定情報記憶部５１が記憶するチャンネル設定情報とを入力し、受信チャンネルを決定する。選局制御部５０は、テレビのチューナ、復号化部等を含んでおり（図示していない。）、受信チャンネルの信号を受信し、出力する。
チャンネル設定情報に基づいて、選局制御部５０は、選局コマンドが指定する選局ポジションに対応付けられた受信チャンネルを抽出し、その受信チャンネルの信号を受信する。
【００３８】
他の実施例において、選局コマンドが受信チャンネルを指定していれば、選局制御部５０は、その受信チャンネルの信号を受信する。選局コマンドが放送局識別子を指定していれば、その放送局識別子に対応付けられた放送局が放送する受信チャンネルの信号を受信する。
【００３９】
表示部６０は、例えば、ＣＲＴまたは液晶等の画像表示装置及びスピーカにより構成される。画像表示装置は選局制御部５０から出力された映像信号を表示し、スピーカは音声を出力する。
【００４０】
次に、上記のように構成された音声認識による選局装置の動作について説明する。図２は、図１に示す音声認識による選局装置の単語辞書設定動作を示すフローチャートである。
【００４１】
まず、ステップＳ１１で、チャンネル設定情報が変更されたか否かをチェックする（Ｓ１１）。変更されていなければ（Ｓ１１のＮＯ）、処理を終了する。選局制御部５０が、操作者が入力する指示に従って、チャンネル設定情報を変更した場合は（Ｓ１１のＹＥＳ）、変更されたチャンネル設定情報をチャンネル設定情報記憶部５１に格納する。チャンネル設定情報記憶部５１は、チャンネル設定情報が変更されると（Ｓ１１のＹＥＳ）、選局ポジションに新たに対応付けられた（変更された）表示チャンネル、受信チャンネル、又は放送局識別子を含むチャンネル設定情報を単語辞書生成部３１に出力する（Ｓ１２）。
【００４２】
単語辞書生成部３１は、入力したチャンネル設定情報が選局ポジションに新たに対応付けられた表示チャンネルの情報を含むか否かを判断する（Ｓ１３）。もし表示チャンネルの情報が更新されていなければ（Ｓ１３のＮＯ）、ステップＳ１５に進む。もし表示チャンネルの情報が更新されていれば（Ｓ１３のＹＥＳ）、単語辞書生成部３１は、表示チャンネルテーブル３２を検索してその表示チャンネルを表示する言葉を取得する（Ｓ１４）。ステップＳ１５に進む。
【００４３】
単語辞書生成部３１は、入力したチャンネル設定情報が選局ポジションに新たに対応付けられた受信チャンネルの情報を含むか否かを判断する（Ｓ１５）。もし受信チャンネルの情報が更新されていなければ（Ｓ１５のＮＯ）、ステップＳ１７に進む。もし受信チャンネルの情報が更新されていれば（Ｓ１５のＹＥＳ）、単語辞書生成部３１は、受信チャンネルテーブル３３を検索してその受信チャンネルを表示する言葉を取得する（Ｓ１６）。ステップＳ１７に進む。
【００４４】
単語辞書生成部３１は、入力したチャンネル設定情報が選局ポジションに新たに対応付けられた放送局識別子の情報を含むか否かを判断する（Ｓ１７）。もし放送局識別子の情報が更新されていなければ（Ｓ１７のＮＯ）、ステップＳ１９に進む。もし放送局識別子の情報が更新されていれば（Ｓ１７のＹＥＳ）、単語辞書生成部３１は、放送局識別子テーブル３４を検索してその放送局識別子に対応付けられた放送局の名称等を取得する（Ｓ１８）。チャンネル設定情報記憶部５１は、その放送局識別子に対応付けられた受信チャンネルを放送局識別子テーブル３４から読み出し、記憶する。ステップＳ１９に進む。
【００４５】
単語辞書生成部３１は、表示チャンネルテーブルから取得した言葉（Ｓ１４）、受信チャンネルテーブルから取得した言葉（Ｓ１６）、及び／又は放送局識別子テーブルから取得した言葉（Ｓ１８）から新たな単語辞書を生成し（Ｓ１９）、生成した単語辞書を単語辞書記憶部３０に更新登録する（Ｓ２０）。
【００４６】
操作者の音声が音声入力部１０へ入力されると、音声認識部２０は、操作者の音声と単語辞書記憶部３０に記憶された選局ポジションに対応した選局ポジションを表示する言葉（表示チャンネル）、受信チャンネルを表示する言葉、又は放送局識別子に対応付けられた放送局の名称等との類似度を示す尤度を計算する（実施例においては、単語を単位として尤度を計算する。）。音声認識部２０は、類似度が一定のレベル以上であって、最も高い類似度を有する言葉（実施例においては単語）を抽出し、入力音声をその抽出された言葉であると認識する。音声認識部２０は、認識結果を選局コマンド出力部２１に出力する。選局コマンド出力部２１は、認識結果に応じた選局コマンドを選局制御部５０へ出力する。選局制御部５０は、選局コマンドに従って受信チャンネルの信号を受信し、出力する。
表示部６０の画像表示装置は選局制御部５０から出力された映像信号を表示し、スピーカは音声を出力する。
【００４７】
次に、図１に示す音声認識による選局装置の動作についてさらに具体例を挙げて詳細に説明する。図３は、実施例１の音声認識による選局装置の概略的な外観図である。図３の表示画面には、チャンネル設定情報記憶部５１が記憶するチャンネル設定情報の一例が表示されている。
図３に示す音声認識による選局装置は、音声入力部であるマイクロフォン２ａ、画像表示装置の表示画面１ａを有する。
【００４８】
例えば、チャンネル設定情報が更新されて、図３の表示画面１ａに示すものになった場合、チャンネル設定情報記憶部５１は、図４に示すチャンネル設定情報を単語辞書生成部３１に送る（全ての選局ポジションの設定が変更された場合）。
【００４９】
図５は、表示チャンネルテーブル３２の一例を示す図である。図４において、チャンネル設定情報の選局ポジション“３”に表示チャンネル“３”が新たに対応付けられたとする。単語辞書生成部３１は、図５の表示チャンネルテーブル３２から“３”に対応付けられた「さん」という単語を読み出し、単語辞書記憶部３０に登録する。
【００５０】
図６は、受信チャンネルテーブル３３の一例を示す図である。図４において、チャンネル設定情報の選局ポジション“３”に受信チャンネル“１９”が新たに対応付けられたとする。単語辞書生成部３１は、図６の受信チャンネルテーブル３３から“１９”に対応付けられた「じゅうきゅうちゃんねる」という単語と、「ちゃんねるじゅうく」という単語とを読み出し、単語辞書記憶部３０に登録する。
【００５１】
図７は、放送局識別子テーブル３４の一例を示す図である。図４において、チャンネル設定情報の選局ポジション“３”に放送局識別子“１１２”が新たに対応付けられたとする。単語辞書生成部３１は、図７の放送局識別子テーブル３４から放送局識別子“１１２”に対応付けられた「てれびおおさか」という単語を読み出し、単語辞書記憶部３０に登録する。
【００５２】
単語辞書記憶部３０の単語辞書は、選局ポジション“３”に対応する単語として「さん」と「じゅうきゅうちゃんねる」と「ちゃんねるじゅうく」と「てれびおおさか」という４つの単語を登録する。図８に実施例の単語辞書の一例を示す。
【００５３】
図９は、操作者が実施例１の選局装置を操作する様子の一例を示す図である。単語辞書記憶部３０が図８に示す単語辞書を記憶しているとする。選局装置は、現在第２チャンネル（ＮＨＫ）を受信し、表示している（図９（ａ））。操作者が「さん」と発声すると、マイクロフォン２ａに操作者の音声「さん」が入力される。単語辞書には、「さん」という単語が選局ポジション“３”に対応して登録されているので、音声認識部２０は、認識結果として選局ポジション“３”と認識した単語「さん」とその尤度とを選局コマンド出力部２１に出力する。
【００５４】
選局コマンド出力部２１は、選局装置の選局ポジションを“３”にする選局コマンドを選局制御部５０へ出力する。選局制御部５０は、選局装置の選局ポジションを“３”にして、表示部６０には選局ポジション“３”の画面が表示される（図９（ｂ））。
【００５５】
操作者が「じゅうきゅうちゃんねる」又は「てれびおおさか」等と発声した場合も、同様に選局ポジション３が選択され、表示部６０には選局ポジション“３”の画面が表示される（図９（ｂ））。
【００５６】
上記の様に、操作者は、面倒な単語登録をしなくても、居住地域に合わせた表示チャンネルまたは受信チャンネルまたは放送局名を発声することにより、容易にチャンネルを選局することができる。選局ポジションに対応付けられている受信チャンネルを表示する言葉等に限定された小さな辞書を用いて音声認識を行う故に、音声認識の認識速度は速く、その処理を行うマイクロコンピュータは低消費電力で小型のもので良い。
【００５７】
《実施例２》
図１及び図１０を用いて、本発明の実施例２の音声認識による選局装置を説明する。実施例２の音声認識による選局装置は、実施例１の選局装置（図１）の各テーブル３２〜３４に加えて、放送局名テーブル３５（図１０）を有する。この点を除いて、実施例２の選局装置は、実施例１の選局装置（図１）と同一の構成を有する。実施例２の選局装置は、テレビに含まれ、テレビの受信チャンネルを選択する。
実施例２の選局装置は、その選局装置が配置された地理的位置情報（例えば大阪市）を記憶する。選局装置に地理的位置情報を記憶させる方法は任意である。例えばＧＰＳ（Global Positioning System）等を用いて自動的に選局装置に地理的位置情報を記憶させても良い。又は、操作者が地理的位置情報を選局装置に入力して登録しても良い。一度登録すれば、選局装置の地理的位置を移動させない限り、その後の登録は不要である。
【００５８】
図１０は、実施例２の放送局名テーブル３５の一例を示す図である。実施例２の放送局名テーブルは、地名（地理的位置情報）と、受信チャンネルと、その受信チャンネルの信号を放送している放送局の名称、略称若しくは俗称を表示する言葉とを対応付けたテーブルである。
【００５９】
実施例２の単語辞書生成部３１は、チャンネル設定情報記憶部５１から新たに選局ポジションに対応付けられた受信チャンネルの情報（チャンネル設定情報）を受け取ると、受信チャンネルテーブル３３からその受信チャンネルを表示する言葉を検索し、単語辞書記憶部３０に更新登録すると共に、放送局名テーブル３５（図１０）から地理的位置情報（選局装置に記憶されている地理的位置情報）及び受信チャンネル（チャンネル設定情報に含まれる受信チャンネル）に対応付けられた放送局の名称、略称若しくは俗称を表示する言葉を検索し、その検索された言葉を単語辞書記憶部３０に更新登録する。例えば選局装置が大阪市に設置されており、チャンネル設定情報において受信チャンネルが４に変更された場合、単語辞書生成部３１は、受信チャンネルを表示する言葉である「よんちゃんねる」及び「ちゃんねるよん」（受信チャンネルテーブル３３に含まれる。）と、大阪市で４チャンネルの信号を放送する放送局の名称、略称若しくは俗称を表示する言葉である「まいにちほうそう」（放送局名テーブル３５に含まれる。）とを、単語辞書記憶部３０に更新登録する。操作者が登録されたこれらの単語の１つを発声すると、選局装置は、その単語に対応づけられた受信チャンネル４を受信し、表示する。
【００６０】
操作者は、通常、選局ポジションに受信チャンネルを対応付けてチャンネル設定する。操作者は、受信チャンネルを、その受信チャンネルを表示する言葉、又はその受信チャンネルの信号を放送する放送局の名称等で呼ぶことが多い。実施例２の選局装置においては、操作者は、受信チャンネルを表示する言葉、又はその受信チャンネルの信号を放送する放送局の名称等のいずれを発声しても、希望する受信チャンネルを選択することが出来る。操作者は、一度地理的位置情報を選局装置に登録すると、その後、自動的にその地理的位置に適した放送局の名称等が辞書に登録される。選局ポジションに対応付けられた受信チャンネルを表示する言葉及びその受信チャンネルの信号を放送する放送局の名称等を記憶している実施例２の単語辞書は、小型で無駄がない。実施例２の選局装置は、音声認識速度が速く安価である。
【００６１】
《実施例３》
図１及び図１１を用いて、本発明の実施例３の音声認識による選局装置を説明する。実施例３の音声認識による選局装置は、実施例１の選局装置（図１）の各テーブル３２〜３４に加えて、放送局名テーブル３６（図１１）を有する。この点を除いて、実施例３の選局装置は、実施例１の選局装置（図１）と同一の構成を有する。実施例３の選局装置は、テレビに含まれ、テレビの受信チャンネルを選択する。
実施例３の選局装置は、実施例２と異なり、地理的位置情報を記憶していない。実施例３の選局装置は、デジタル放送を通じて放送局名テーブル３６（図１１）をダウンロードする。
選局装置は、デジタル放送を通じたソフトウエアダウンロードによって、放送局名テーブル３６のみならず、受信チャンネルテーブル３３、放送局識別子テーブル３４を含む全てのテーブルを取得しても良い。
【００６２】
図１１は、実施例３の放送局名テーブル３６の一例を示す図（大阪市を受信エリアに含むデジタル放送を通じて放送された放送局名テーブル）である。実施例３の放送局名テーブルは、受信チャンネルと、その受信チャンネルの信号を放送している放送局の名称、略称若しくは俗称を表示する言葉とを対応付けたテーブルである。地名（地理的位置情報）は含まれない。放送局は、デジタル放送を受信可能な地域における受信チャンネルと、その受信チャンネルの信号を放送している放送局の名称等とを対応付けた放送局名テーブル３６を送信する。そのデジタル放送と受信エリアが重ならない放送局の名称等は、その放送局名テーブルに含まれない。
【００６３】
実施例３の単語辞書生成部３１は、チャンネル設定情報記憶部５１から新たに選局ポジションに対応付けられた受信チャンネルの情報（チャンネル設定情報）を受け取ると、受信チャンネルテーブル３３からその受信チャンネルを表示する言葉を検索し、単語辞書記憶部３０に更新登録すると共に、放送局名テーブル３６（図１１）から受信チャンネル（チャンネル設定情報に含まれる受信チャンネル）に対応付けられた放送局の名称、略称若しくは俗称を表示する言葉を検索し、その検索された言葉を前記辞書に更新登録する。例えばチャンネル設定情報において受信チャンネルがＢＳ１０１に変更された場合、単語辞書生成部３１は、受信チャンネルを表示する言葉である「びいえすいちぜろいちちゃんねる」（受信チャンネルテーブル３３に含まれる。）と、ＢＳ１０１チャンネルの信号を放送する放送局の名称、略称若しくは俗称を表示する言葉である「えいせいだいいち」（放送局名テーブル３６に含まれる。）と、ＢＳ１０１チャンネルの信号を放送する放送局の放送局識別子を表示する言葉である「１１０１」（放送局識別子テーブル３４に含まれる。）とを、単語辞書記憶部３０に更新登録する。操作者が登録されたこれらの単語の１つを発声すると、選局装置は、その単語に対応づけられた受信チャンネルＢＳ１０１を受信し、表示する。
【００６４】
例えば操作者が「えぬえっちけい」と言って受信チャンネルを指定した場合、操作者が受信を希望するチャンネルは、操作者が住む地域に応じて異なる。「えぬえっちけい」と音声入力された選局装置は、東京に設置されていれば１チャンネルを受信すべきであり、大阪に設置されていれば２チャンネルを受信すべきである。音声認識による選局装置は、地上波デジタル放送を通じて、地上波デジタル放送の放送エリアでの受信チャンネル等を含む放送局名テーブル３６をダウンロードする。例えば大阪に設置された選局装置は、大阪を放送エリアとする地上波デジタル放送を通じて、「えぬえっちけい」という言葉とＮＨＫ大阪が放送する信号の受信チャンネルとを対応付けた放送局名テーブル３６をダウンロードする。音声認識による選局装置は、ダウンロードされたテーブルに基づいて、操作者が発声した放送局の名称等により決定される受信チャンネル（その放送エリアでの受信チャンネル）を検索し、その受信チャンネルの信号を受信し、表示する。操作者が「えぬえっちけい」という略称を表す言葉を言えば、大阪に設置された選局装置は、ＮＨＫ大阪が放送する信号を受信し、表示する。
【００６５】
実施例３の選局装置及び選局方法においても、実施例２の選局装置等と同様の効果が得られる。更に、実施例３の選局装置及び選局方法においては、選局装置に地理的位置情報を記憶させる必要がない。選局装置は、設置地域に応じたコンパクトなテーブルを有する。
【００６６】
発明をある程度の詳細さをもって好適な形態について説明したが、この好適形態の現開示内容は構成の細部において変化してしかるべきものであり、各要素の組合せや順序の変化は請求された発明の範囲及び思想を逸脱することなく実現し得るものである。
【００６７】
【発明の効果】
本発明によれば、面倒な単語登録が不要であって、居住地域に合わせた小型で必要十分な辞書を自動生成する、音声認識速度が速く安価な音声認識による選局装置及びその制御方法を実現できるという有利な効果が得られる。操作者は、居住地域に合わせた受信チャンネル等を発声することにより、容易にチャンネルを選局することができる。
本発明によれば、ユーザ（視聴者、操作者）の居住地域に適合したコンパクトなテーブルを自動的に生成する音声認識による選局装置及びその制御方法が実現できる。
本発明によれば、複数の放送局を表す略称等を、ユーザが住む地域を放送エリアとするそのうちの１つの放送局の受信チャンネルに対応付けたテーブルを自動的に生成する音声認識による選局装置及びその制御方法を実現できる。
【図面の簡単な説明】
【図１】本発明の実施例の音声認識による選局装置の構成を示すブロック図
【図２】本発明の実施例の音声認識による選局装置の単語辞書設定動作を示すフローチャート
【図３】本発明の実施例の音声認識による選局装置の外観構成を示す概略図
【図４】本発明の実施例のチャンネル設定情報記憶部５１のチャンネル設定情報の一例を示す図
【図５】本発明の実施例の音声認識による選局装置の表示チャンネルテーブル３２の一例を示す図
【図６】本発明の実施例の音声認識による選局装置の受信チャンネルテーブル３３の一例を示す図
【図７】本発明の実施例の音声認識による選局装置の放送局識別子テーブル３４の一例を示す図
【図８】本発明の実施例の音声認識による選局装置の単語辞書記憶部３０に記憶されている単語辞書の一例を示す図
【図９】本発明の実施例の音声認識による選局装置の具体的な動作を説明する図
【図１０】本発明の実施例２の音声認識による選局装置の放送局名テーブル３５の一例を示す図
【図１１】本発明の実施例３の音声認識による選局装置の放送局名テーブル３６の一例を示す図
【符号の説明】
１０  音声入力部
２０  音声認識部
２１  選局コマンド出力部
３０  単語辞書記憶部
３１  単語辞書生成部
３２  表示チャンネルテーブル
３３  受信チャンネルテーブル
３４  放送局識別子テーブル
３５、３６  放送局名テーブル
５０  選局制御部
５１  チャンネル設定情報記憶部
６０  表示部
【図１】
0004138456.tif 000002
【図２】
0004138456.tif 000003
【図３】
0004138456.tif 000004
【図４】
0004138456.tif 000005
【図５】
0004138456.tif 000006
【図６】
0004138456.tif 000007
【図７】
0004138456.tif 000008
【図８】
0004138456.tif 000009
【図９】
0004138456.tif 000010
【図１０】
0004138456.tif 000011
【図１１】
0004138456.tif 000012